(57)【要約】【課題】容器内の液体を万遍なく当該容器内において循環させることができる液体循環装置及びこれを用いた家庭用水耕栽培装置を提供する。【解決手段】液体６を収容するための容器２と、液体中に開口した入口３ａ及び出口３ｂを有し、液体６を循環させるための循環経路３と、該循環経路３にエア供給口４ａを介して接続され、液体６を前記入口３ａから吸い込んで一方向に流通させ、前記出口３ｂから送出させるためのエア供給管４と、エア供給管４に接続されたエアポンプ５とを備え、循環経路３の前記入口３ａ及び前記出口３ｂの一方又は両方は、容器２の内壁面の近傍にて内壁面に沿う方向に開口し、前記エア供給口４ａは、循環経路３における前記液体６の流通方向で上昇している部分に設けられている。【選択図】図１
2011125307.tif 000002
【特許請求の範囲】
【請求項１】
液体を収容するための容器と、
該容器内の液体中に開口した入口及び出口を有し、前記液体を循環させるための循環経路と、
該循環経路にエア供給口を介して接続され、前記循環経路にエアを供給して前記液体を前記入口から前記循環経路内に吸い込んで一方向に流通させ、前記出口から送出させるためのエア供給管と、
該エア供給管に接続されたエアポンプとを備え、
前記循環経路の前記入口及び前記出口の一方又は両方は、前記容器の内壁面の近傍にて前記内壁面に沿う方向に開口し、
前記エア供給口は、前記循環経路における前記液体の流通方向で上昇している部分に設けられていることを特徴とする液体循環装置。
【請求項２】
前記循環経路は循環パイプであり、
前記装置は、前記循環パイプを前記容器に保持するための保持手段をさらに備えていることを特徴とする請求項１に記載の液体循環装置。
【請求項３】
前記保持手段は前記容器の底面又は内壁面に固定され、前記液体内を延びている前記循環パイプに上側から接して配置された保持部材であることを特徴とする請求項２に記載の液体循環装置。
【請求項４】
前記保持手段は前記液体よりも比重が大きい材質で形成されたパイプ部材であり、該パイプ部材は前記循環パイプの全部又は一部を形成していることを特徴とする請求項２に記載の液体循環装置。
【請求項５】
前記保持手段は前記容器の底又は側壁内に形成され、前記循環パイプを挿通させた保持孔を含むことを特徴とする請求項２に記載の液体循環装置。
【請求項６】
前記循環経路は、前記容器の底又は側壁内を延びる流路を含むことを特徴とする請求項１に記載の液体循環装置。
【請求項７】
前記入口及び前記出口は前記容器の底面又は内壁面に開口して設けられることを特徴とする請求項６に記載の液体循環装置。
【請求項８】
請求項１〜７のいずれかに記載の液体循環装置と、
前記容器内の前記液体の液面を覆う蓋材と、
該蓋材に形成された多数の貫通孔と
を備えたことを特徴とする家庭用水耕栽培装置。
【発明の詳細な説明】
【技術分野】
【０００１】
本発明は、容器内の液体（液肥）を効率よく循環することができる液体循環装置及びこれを用いた家庭用水耕栽培装置に関するものである。
【背景技術】
【０００２】
有機水耕栽培装置が特許文献１に記載されている。特許文献１では、エアリフト方式の揚水ポンプを栽培槽に取り付け、養液槽中のエアマットと揚水ポンプに取り付けたエアポンプとを接続し、養液中に気泡を吹き込むと同時に養液の揚水を行うものである。
栽培槽に供給された養液たる液肥は、その容器内に万遍なく行き渡らせることが望まれている。しかしながら、特許文献１をはじめとする従来の水耕栽培装置においては、エアリフタを用いたいわゆる上下方向での液肥の供給と排出による循環である。水耕栽培の栽培容器は一般的に横幅又は奥行（又はその両方）が大きいため、栽培容器の任意の位置の上側から液肥を供給し、栽培容器の任意の位置の下側から排水する機構を備えても、液肥が栽培容器内を万遍なく循環しない。
【先行技術文献】
【特許文献】
【０００３】
【特許文献１】特許第４３２４６４８号公報
【発明の概要】
【発明が解決しようとする課題】
【０００４】
本発明は、上記従来技術を考慮したものであって、容器内の液体を万遍なく当該容器内において循環させることができる液体循環装置及びこれを用いた家庭用水耕栽培装置を提供することを目的とする。
【課題を解決するための手段】
【０００５】
前記目的を達成するため、請求項１の発明では、液体を収容するための容器と、該容器内の液体中に開口した入口及び出口を有し、前記液体を循環させるための循環経路と、該循環経路にエア供給口を介して接続され、前記循環経路にエアを供給して前記液体を前記入口から前記循環経路内に吸い込んで一方向に流通させ、前記出口から送出させるためのエア供給管と、該エア供給管に接続されたエアポンプとを備え、前記循環経路の前記入口及び前記出口の一方又は両方は、前記容器の内壁面の近傍にて前記内壁面に沿う方向に開口し、前記エア供給口は、前記循環経路における前記液体の流通方向で上昇している部分に設けられていることを特徴とする液体循環装置を提供する。
【０００６】
請求項２の発明では、請求項１の発明において、前記循環経路は循環パイプであり、前記装置は、前記循環パイプを前記容器に保持するための保持手段をさらに備えていることを特徴としている。
請求項３の発明では、請求項２の発明において、前記保持手段は前記容器の底面又は内壁面に固定され、前記液体内を延びている前記循環パイプに上側から接して配置された保持部材であることを特徴としている。
【０００７】
請求項４の発明では、請求項２の発明において、前記保持手段は前記液体よりも比重が大きい材質で形成されたパイプ部材であり、該パイプ部材は前記循環パイプの全部又は一部を形成していることを特徴としている。
請求項５の発明では、請求項２の発明において、前記保持手段は前記容器の底又は側壁内に形成され、前記循環パイプを挿通させた保持孔を含むことを特徴としている。
【０００８】
請求項６の発明では、請求項１の発明において、前記循環経路は、前記容器の底又は側壁内を延びる流路を含むことを特徴としている。
請求項７の発明では、請求項６の発明において、前記入口及び前記出口は前記容器の底面又は内壁面に開口して設けられることを特徴としている。
また、請求項８の発明では、請求項１〜７のいずれかに記載の液体循環装置と、前記容器内の前記液体の液面を覆う蓋材と、該蓋材に形成された多数の貫通孔とを備えたことを特徴とする家庭用水耕栽培装置を提供する。
【発明の効果】
【０００９】
請求項１の発明によれば、循環経路の中を通る液体が入口から流入し、エアポンプによってエア供給管から供給されるエアで一方向に流通させられ出口から流出するので、その流れを利用して容器内の液体を万遍なく循環させることができる。また、エア供給口は、循環経路における液体の流通方向で上昇している部分に設けられ、循環経路内の流通方向を確実に入口から出口へと導くように形成することができる。したがって、出口から流出した液体は容器内を循環しながら入口に向かう。このため、容器内の液体が万遍なく循環する。
【００１０】
請求項２の発明によれば、循環パイプを容器に保持するための保持手段をさらに備えるため、循環パイプが容器内で移動することはなく、普遍的に循環パイプを用いた容器内の液体の万遍ない循環を実現することができる。
請求項３の発明によれば、保持手段は容器内面に固定され、循環パイプの上側にて接して配置されているため、循環パイプが浮力により液面方向に上昇することを確実に防止して、循環パイプが移動することによる液体の予期しない方向への流通を防止することができる。
【００１１】
請求項４の発明によれば、液体よりも比重が大きいパイプ部材を用いて循環パイプの全部または一部を保持手段として形成するため、循環パイプが容器内で移動することはない。したがって、循環パイプが移動することによる液体の予期しない方向への流通を防止することができる。
請求項５の発明によれば、循環パイプを配設可能な保持孔を容器の底又は側壁に形成して保持手段を形成するため、ここに循環パイプを配設して循環パイプを確実に固定保持することができる。したがって、循環パイプが移動することによる液体の予期しない方向への流通を防止することができる。
【００１２】
請求項６の発明によれば、循環経路として、容器の底又は側壁内を延びる流路を用いるため、底又は側壁自体が液体を循環させる役割を果たす。したがって、例えば側壁を加工して形成された管状経路の中を通る液体が入口から流入し、エアポンプによってエア供給管から供給されるエアで一方向に流通させられ出口から流出するので、容器内の液体を万遍なく循環させることができる。
【００１３】
請求項７の発明によれば、入口と出口は容器の底面又は内壁面に開口して設けられるため、容器の加工のみで液体を循環させることができる循環経路の役割を果たすものが形成される。このため、部品点数が減少し、見栄えのよい液体循環装置を得ることができる。
請求項８の発明によれば、多数の貫通孔が形成された蓋材を用いることで、この貫通孔に苗を定植して水耕栽培を行うことができる。このとき、苗の肥料となる液肥が効率よく循環するので、苗の発育の促進が図られる。また、容器とエアポンプと循環経路及び蓋材のみで水耕栽培を行うことができるので、家庭用の水耕栽培キットとして手軽に利用することができる。
【図面の簡単な説明】
【００１４】
【図１】本発明に係る液体循環装置の平面図である。
【図２】図１のＡ−Ａ断面図である。
【図３】図１のＢ−Ｂ断面図である。
【図４】本発明に係る液体循環装置を用いた家庭用水耕栽培装置の概略断面図である。
【図５】図１〜図３の例に対して別の例を示す概略断面図である。
【図６】本発明に係る別の液体循環装置の平面図である。
【図７】図６のＣ−Ｃ断面図である。
【図８】図６のＤ−Ｄ断面図である。
【図９】本発明に係るさらに別の液体循環装置の平面図である。
【図１０】図９のＥ−Ｅ断面図である。
【図１１】図９のＦ−Ｆ断面図である。
【図１２】本発明に係るさらに別の液体循環装置の平面図である。
【図１３】図１２のＧ−Ｇ断面図である。
【図１４】図１２のＨ−Ｈ断面図である。
【図１５】本発明に係るさらに別の液体循環装置の平面図である。
【図１６】図１５のＩ−Ｉ断面図である。
【図１７】図１５のＪ−Ｊ断面図である。
【図１８】本発明に係るさらに別の液体循環装置の平面図である。
【図１９】図１８のＫ−Ｋ断面図である。
【図２０】図１８のＬ−Ｌ断面図である。
【図２１】本発明に係るさらに別の液体循環装置の平面図である。
【図２２】図２１のＭ−Ｍ断面図である。
【図２３】図２１のＮ−Ｎ断面図である。
【発明を実施するための形態】
【００１５】
図１は本発明に係る液体循環装置の平面図であり、図２は図１のＡ−Ａ断面図、図３は図１のＢ−Ｂ断面図である。
図示したように、本発明に係る液体循環装置１は、容器２と、循環パイプ３と、エア供給管４と、エアポンプ５とで形成されている。なお、エアポンプ５は図１のみに記載し、以降の図では省略している。容器２は、例えば発泡スチロールを用いて形成する。容器２内には、液体６が収容されている。すなわち、容器２は液体６である程度まで満たされている。液体６の循環経路たる循環パイプ３は、容器２の壁面に沿って配設されている。
【００１６】
図１を参照すれば、循環パイプ３は容器２の内壁面に沿って配設されている。この循環パイプ３が、後述するように、容器２内の液体を万遍なく循環させるものである。循環パイプ３の入口３ａから出口３ｂに向かって上昇している部分に、エア供給口４ａを介してエア供給管４が接続されている（図３参照）。このエア供給管４は、エアポンプ５と接続され、このエアポンプ５からエアが供給される。エアポンプ５から供給されたエアは、エア供給管４を通って循環パイプ３内に流入する。このとき、循環パイプ３が出口３ｂに向かって上昇している位置にエア供給口４ａが接続されているため、エアは自然上昇により出口３ｂ方向に流通する。この自然上昇による出口３ｂへの流通は、エア供給管４の接続位置や、接続方向等を調整したり、循環パイプ３の長さや径、あるいは配設されている高さ等により適宜考慮したりすることで、最適化することができる。なお、エア供給管４は液体の逆流を防止するため、一旦水面より高い位置を通すことが好ましい。また、エアを供給しているため、液体内の溶存酸素の管理も適切に行うことができる。
【００１７】
上述したように、循環パイプ３は、その端部に入口３ａと出口３ｂを有している。入口３ａ及び出口３ｂは、容器２内の液体６中に開口している。この入口３ａは、容器２の壁面に沿った下側に配設される。一方、出口３ｂは容器２の壁面に沿った上側に配設される。容器２内の液体は、この入口３ａから流入し、循環パイプ３を通って出口３ｂから流出する。この入口３ａと出口３ｂは、容器の内壁面に沿って対向している。したがって、出口３ｂから流出した液体６は内壁面に沿って効率よく入口３ａに向かって流通する。このとき、出口３ｂから流出した液体６の全てが入口３ａに流入するのではなく、ある程度容器２の内壁面に沿って循環してから入口３ａに流入する。すなわち、出口３ｂから流出した液体６は、容器２の内壁面に沿って容器２内を万遍なく循環し、やがて入口３ａに流入する。このとき、入口３ａが容器２の下側に、出口３ｂが容器２の上側にあるので、出口３ｂから流出した液体６は容器２内を循環しながら容器下側の入口３ａに向かい、容器２内の上下方向においても液体６が万遍なく循環することになる。
【００１８】
換言すると、エア供給口４ａは、循環経路たる循環パイプ３における液体６の流通方向で上昇している部分に設けられ、出口３ｂは、エア供給口４ａよりも上側に位置し、エア供給口４ａから出口までの循環パイプ３は、液体６の流通方向において上昇しているか、又は水平に形成されている。このため、循環パイプ３内の流通方向を確実に入口３ａから出口３ｂへと導くように形成することができる。また、循環パイプ３には上昇部分があり、この上昇部分と接続しているエア供給口４ａよりも出口３ｂは上側にあるため、出口３ｂは入口３ａよりも上側、より好ましくは入口３ａが容器２の下側に、出口３ｂが容器２の上側にあることになる。したがって、容器上側の出口３ｂから流出した液体６は容器２内を循環しながら容器下側の入口３ａに向かう。このため、容器２内の上下方向においても液体が万遍なく循環する。
【００１９】
容器２の側壁を横断面にて多角形状、図１のように例えば矩形形状とし、入口３ａ及び出口３ｂを容器２の一の角部２ａを介在させて対向するように配置すれば、効率のよい液体の循環を実現することができる。出口３ｂから流出した液体６が一旦角部２ａに当たることで、効率のよい循環を実現している。
循環パイプ３は、保持手段を用いて容器２内に保持されている。このように循環パイプ３を確実に保持することで、循環パイプ３が容器２内で移動することはなく、普遍的に循環パイプ３を用いた容器２内の液体６の万遍ない循環を実現することができる。図では、保持手段として保持部材７を用いた例を示している。この保持部材７は、例えば略直方体形状であり、その一側面が容器２の内壁面に接着等で固定される。そして、保持部材７の下面は循環パイプ３の上側と接し、ここで循環パイプ３が浮力により液面方向に上昇することを確実に防止している。したがって、循環パイプ３が移動することによる液体６の予期しない方向への流通を防止することができる。保持部材７は、例えば発泡スチロールで形成されている。なお、保持部材７は底面に固定してもよい。
【００２０】
一方で、他の保持手段として、保持部材８が利用されている。この保持部材８は、循環パイプ３を挟み込んだ状態で、容器２の内壁面に接着等で固定されている。図では、循環パイプ３が斜め方向に傾斜して延びている箇所にて保持部材８が用いられている。このように循環パイプ３自体を保持する機構を有するものでも、確実に循環パイプ３の移動を防止できる。保持部材８は、保持部材７と同様の材質、すなわち発泡スチロールで形成してもよい。
【００２１】
図４は本発明に係る液体循環装置を用いた家庭用水耕栽培装置の概略断面図である。
図示したように、本発明に係る家庭用水耕栽培装置９は、本発明に係る液体循環装置１に加え、蓋材１０が追加されている。この蓋材１０は液体６の液面上に載置されて液面を覆うものである。蓋材１０には多数の貫通孔１１が形成されている。このような家庭用水耕栽培装置９を用いて水耕栽培を行う場合、まず容器２内に液体６たる液肥を充填する。そして、蓋材１０の貫通孔１１に苗を定植し、これを液面に載置する。この後、エアポンプを作動させて液肥を循環させる。本発明に係る液体循環装置１を用いているので、苗の肥料となる液肥が効率よく容器２内を循環し、苗の発育の促進が図られる。また、この水耕栽培装置９を用いれば、容器２とエアポンプ５（図１参照）と循環パイプ３及び蓋材１０のみで水耕栽培を行うことができるので、家庭用の水耕栽培キットとして手軽に利用することができる。なお、以降で説明する例の液体循環装置に蓋材１０を設ければ、全て家庭用水耕栽培装置９として適用できる。
【００２２】
図５は図１〜図３の例に対して別の例を示す概略断面図である。
図示したように、循環パイプ３が途中で折れ曲がり、垂直に立ちあがっている。図１〜図３の例では、容器２の下側に位置する入口３ａから容器２の上側に位置する出口３ｂまで、循環パイプ３がある側面に沿って斜め上方に傾斜して上昇している。これに対し、図５で示す例では、このような斜めの傾斜部分はなく、垂直に立ちあがっている立ち上がり部１２を有している。このような立ち上がり部１２も、入口３ａから出口３ｂに向かう上昇部分となり、ここにエア供給口４ａを接続することにより、循環パイプ３を用いた容器２内の液体６の循環を実現することができる。容器２内の液体６の循環は、エア供給口４ａから出口３ｂまでのルート、及びエア供給口４ａの循環パイプに対する接続位置が重要である。エア供給口４ａが循環パイプ３の上昇部分に設けられることで、その他の部分の循環パイプ３はどのような形状であってもよい。例えば、図のような水平部分のみではなく、波型のように凹凸を繰り返していたりしてもよい。エアポンプ５から供給されるエアにより、循環パイプ３内の一方向の流通を形成できていれば、循環パイプ３の形状や径等は適宜変更可能である。
【００２３】
図６は本発明に係る別の液体循環装置の平面図であり、図７は図６のＣ−Ｃ断面図、図８は図６のＤ−Ｄ断面図である。
図示したように、図１〜図３の例と比べて異なる点は、保持部材１３及び保持部材１４の構造である。すなわち、循環パイプ３の水平部分を保持する保持部材１３は、例えば発泡スチロールで形成され、容器２に嵌め込んで固定される。より詳しくは、容器２の内壁面には縦溝１５が形成され、この縦溝１５に保持部材１３をスライドさせて嵌め込むことで固定される。一方で、循環パイプ３の斜め方向に上昇する部分を保持するための保持部材１４は、図１〜図３の例と同様にパイプ３を挟んで保持するものである。しかし、その下側が容器と一体に形成され、上側は別体の例えば発泡スチロールからなる部材１４ａである点が異なる。部材１４ａは、保持部材１３と同様に、容器２に形成された縦溝１５にスライドさせて嵌め込んで固定される。保持部材１３も部材１４ａも、さらに容器２も発泡スチロール製とすることで、縦溝１５を介してスライドさせても、その材質による弾性と摩擦力で固定される。このようにして、循環パイプ３が浮力により液面方向に上昇することを確実に防止し、循環パイプ３が移動することによる液体６の予期しない方向への流通を防止することができる。その他の構成、作用、効果は図１〜図３の例と同様である。
【００２４】
図９は本発明に係るさらに別の液体循環装置の平面図であり、図１０は図９のＥ−Ｅ断面図、図１１は図９のＦ−Ｆ断面図である。
図示したように、図１〜図３の例と比べて異なる点は、循環パイプ３の保持手段である。保持部材１６は、液体６よりも比重が大きい材質、例えばステンレスやセラミックス等の耐食性のある重量物からなるパイプ部材で形成される。これを循環パイプ３の入口３ａ及び出口３ｂ付近に外側から嵌め込んで配設することで、容器内の位置を固定することができる。すなわち、保持部材１６からなるパイプ部材が循環パイプ３の一部を形成している。また、循環パイプ３の途中部分においては、保持部材１７を利用して保持している。保持部材１７は、容器２の底面から立ち上がる立ち上がり部１７ａと、この立ち上がり部１７ａに取り付けられた保持具１７ｂで構成される。保持具１７ｂは例えば円形リングであり、ここに循環パイプ３を通すことで循環パイプ３を保持している。このようにして、循環パイプ３が浮力により液面方向に上昇することを確実に防止し、循環パイプ３が移動することによる液体６の予期しない方向への流通を防止することができる。その他の構成、作用、効果は図１〜図３の例と同様である。
【００２５】
図１２は本発明に係るさらに別の液体循環装置の平面図であり、図１３は図１２のＥ−Ｅ断面図、図１４は図１２のＦ−Ｆ断面図である。
図示したように、図１〜図３の例と比べて異なる点は、循環パイプ３の保持手段である。循環パイプ３は、液体６よりも比重が大きい材質、例えばステンレスやセラミックス等の耐食性のある重量物からなるパイプ部材で形成される。すなわち、このような重量物からなるパイプ部材で循環パイプの全部を形成する。また、循環パイプ３の途中部分が傾斜している場合においては、当該部分を保持部材１８を利用して保持する。この保持部材１８は、容器２と一体に形成され、循環パイプ３を単に載置してその高さを保持するものである。なお、保持部材１８を別体として設けた場合は、液体に対して浮きあがらず、耐食性を有する材質を用いる。このようにして、循環パイプ３が浮力により液面方向に上昇することを確実に防止し、循環パイプ３が移動することによる液体６の予期しない方向への流通を防止することができる。その他の構成、作用、効果は図１〜図３の例と同様である。
【００２６】
図１５は本発明に係るさらに別の液体循環装置の平面図であり、図１６は図１５のＩ−Ｉ断面図、図１７は図１５のＪ−Ｊ断面図である。
図示したように、図１〜図３の例と比べて異なる点は、循環パイプ３の保持手段である。すなわち、循環パイプ３は、容器２を加工して形成された保持孔１９内に配設される。保持孔１９は、容器２の側壁に形成され、循環パイプ３と接して覆うことができる径を有している。入口３ａ及び出口３ｂ付近の循環パイプ３は、容器２の側壁から突出して容器２内に面している。このように、循環パイプ３の略全体を保持孔１９で保持することで、循環パイプ３が浮力により液面方向に上昇することを確実に防止し、循環パイプ３が移動することによる液体６の予期しない方向への流通を防止することができる。なお、保持孔１９は容器２の底に設けてもよい。その他の構成、作用、効果は図１〜図３の例と同様である。
【００２７】
図１８は本発明に係るさらに別の液体循環装置の平面図であり、図１９は図１８のＫ−Ｋ断面図、図２０は図１８のＬ−Ｌ断面図である。
図示したように、図１〜図３の例と比べて異なる点は、循環パイプ３が容器２の側壁に一体として形成された管状経路２０で形成されている点である。すなわち、容器２の内壁の内部を加工し、管状の孔である管状経路２０を形成する。このように、容器２の側壁に一体として形成された管状経路２０を用いるため、側壁自体が液体６を循環させるための循環経路の役割を果たす。そして、この管状経路２０の入口２０ａ及び出口２０ｂは、容器２の底面又は内壁面（図では内壁面）に開口して設けられる。これにより、容器の加工のみで液体を循環させることができる循環経路の役割を果たすものが形成される。このため、部品点数が減少し、見栄えのよい液体循環装置を得ることができる。また、入口２０ａ及び出口２０ｂの位置は、上述した入口３ａ及び出口３ｂと同様に、容器の下側及び上側に配置するため、出口２０ｂから流出した液体は容器２内を循環しながら下側の入口２０ａに向かい、容器２内の上下方向においても液体が万遍なく循環する。また、容器２自体が循環パイプ３の役割を果たすのだから、特にそのための保持手段を設ける必要はない。なお、管状経路２０は容器２の底に設けてもよい。その他の構成、作用、効果は図１〜図３の例と同様である。
【００２８】
図２１は本発明に係るさらに別の液体循環装置の平面図であり、図２２は図２１のＩ−Ｉ断面図、図２３は図２１のＪ−Ｊ断面図である。
図示したように、図１〜図３の例と比べて異なる点は、循環パイプ３の保持手段である。すなわち、循環パイプ３は、容器２の側壁を貫通し、一旦容器２の外側に出る。そして、容器２の外壁に沿って延び、再び容器２を貫通して容器２内に戻る。入口３ａ及び出口３ｂの位置は図１〜図３の例と同様である。このように、容器２を貫通させてこの貫通部分で循環パイプ３を保持してもよい。このようにして、循環パイプ３が浮力により液面方向に上昇することを確実に防止し、循環パイプ３が移動することによる液体６の予期しない方向への流通を防止することができる。その他の構成、作用、効果は図１〜図３の例と同様である。
【符号の説明】
【００２９】
１  液体循環装置
２  容器
２ａ  角部
３  循環パイプ
３ａ  入口
３ｂ  出口
４  エア供給管
４ａ  エア供給口
５  エアポンプ
６  液体
７  保持部材
８  保持部材
９  家庭用水耕栽培装置
１０  蓋材
１１  貫通孔
１２  立ち上がり部
１３  保持部材
１４  保持部材
１５  縦溝
１６  保持部材
１７  保持部材
１７ａ  立ち上がり部
１７ｂ  保持具
１８  保持部材
１９  保持孔
２０  管状経路
【図１】
2011125307.tif 000003
【図２】
2011125307.tif 000004
【図３】
2011125307.tif 000005
【図４】
2011125307.tif 000006
【図５】
2011125307.tif 000007
【図６】
2011125307.tif 000008
【図７】
2011125307.tif 000009
【図８】
2011125307.tif 000010
【図９】
2011125307.tif 000011
【図１０】
2011125307.tif 000012
【図１１】
2011125307.tif 000013
【図１２】
2011125307.tif 000014
【図１３】
2011125307.tif 000015
【図１４】
2011125307.tif 000016
【図１５】
2011125307.tif 000017
【図１６】
2011125307.tif 000018
【図１７】
2011125307.tif 000019
【図１８】
2011125307.tif 000020
【図１９】
2011125307.tif 000021
【図２０】
2011125307.tif 000022
【図２１】
2011125307.tif 000023
【図２２】
2011125307.tif 000024
【図２３】
2011125307.tif 000025